(57)【要約】【課題】テレビユニットの前面に例えばハーフミラー状の透過性を有する板材を取り付け、この板材でテレビユニットを覆うことによりデザイン性を高めたテレビ装置では、テレビユニットの前面にスピーカ等の発音部が設けられており、この発音部と板材との間隔が狭いと発音部から発生された音声が板材の前方へと回りにくく、音声が聞きづらくなる。【解決手段】発音部の取り付け位置を板材から離し、発音部と板材との間に外部に連通する空間を設けることによって、発音部から発せられた音声がこの空間から外部へと十分に伝達されるようにした。【選択図】  図２
2005260545.tif 000002
【特許請求の範囲】
【請求項１】
前面に少なくとも画像表示部と発音部とを備え壁面の表面に取り付けられるテレビユニットと、この画像表示部に対して密着すると共にテレビユニットの前面を覆う透光性の板材とを備えたテレビ装置であって、上記発音部と板材との間に、壁面と板材との間を通して外部に連通する空間を形成したことを特徴とするテレビ装置。
【請求項２】
上記板材はハーフミラーであることを特徴とする請求項１記載のテレビ装置。
【請求項３】
上記発音部はテレビユニットの前面左右に分かれてステレオ方式の発音が可能であって、左右両発音部の間に板材に対して近接して両発音部から発音された音声が板材の後方で干渉することを防止する干渉防止部を形成したことを特徴とする請求項１または請求項２に記載のテレビ装置。
【請求項４】
上記板材の周縁と壁面との間に取り付けられ、外部からテレビユニットが見えないように目隠しする目隠し部材を設けると共に、この目隠し部材に、外部に向かって拡幅し発音部から発音された音声を外部に導く音響通路を形成したことを特徴とする請求項１から請求項３のいずれかに記載のテレビ装置。
【請求項５】
上記壁面は浴室の壁面であって、テレビユニットは防水構造を備え、板材と壁面との間の空間に侵入した湯水を排水する水抜き部を形成したことを特徴とする請求項４に記載のテレビ装置。
【請求項６】
上記水抜き部の少なくとも一部は着脱自在であって、水抜き部を取り外すことによって板材と壁面との間を清掃し得るように構成したことを特徴とする請求項４または請求項５に記載のテレビ装置。
【発明の詳細な説明】
【技術分野】
【０００１】
本発明は、浴室や台所、その他の壁面に取り付けられ、特に前面を覆う透光性の板材を備えたテレビ装置に関する。
【背景技術】
【０００２】
浴室などの壁面に取り付けられるテレビ装置としては、例えば壁面に窓状の取付穴を設け、テレビユニットを収納する収納ボックスをこの取付穴に埋設したものが知られている（例えば特許文献１）。このものでは、収納ボックスの前面開口部分がハーフミラー板によって水密状に閉塞されている。
【特許文献１】特開２００１−３２７４２８号公報（図１）
【発明の開示】
【発明が解決しようとする課題】
【０００３】
上記従来のものでは、テレビユニットはハーフミラー板によって覆われ、テレビ画面のみがハーフミラー板を通して視認することができる。すなわち、テレビユニットそのものはハーフミラー板で覆われて隠され外部から見えないので体裁がよい。
【０００４】
ところが、ハーフミラー板は収納ボックスに対して水密状に取り付けられているので、テレビユニットにスピーカ等の発音部を設けても、発音部から発せされた音声は収納ボックスから外部にほとんど出ることはない。そのため、上記特許文献に記載されたものでは収納ボックスとは別個にスピーカを設置し、収納ボックス内のテレビユニットから、別途設置のスピーカに音声信号を出力して、このスピーカを鳴動させている。このため、別途にスピーカを設置し、さらにスピーカとテレビユニットとを接続する工数が必要となるばかりか、テレビ音声がテレビ画面と違う方向から発音され、テレビを鑑賞する際に違和感を覚えるという不具合が生じる。
【０００５】
そこで本発明は、上記の問題点に鑑み、このような不具合が生じないテレビ装置を提供することを課題とする。
【課題を解決するための手段】
【０００６】
上記課題を解決するために本発明によるテレビ装置は、前面に少なくとも画像表示部と発音部とを備え壁面の表面に取り付けられるテレビユニットと、この画像表示部に対して密着すると共にテレビユニットの前面を覆う透光性の板材とを備えたテレビ装置であって、上記発音部と板材との間に、壁面と板材との間を通して外部に連通する空間を形成したことを特徴とする。
【０００７】
テレビユニットに発音部を設けて、その発音部からテレビ音声を発音させればテレビユニットに対して別途のスピーカ等の発音部を設ける必要がなく、また、テレビ音声がテレビ画像方向からするのでテレビを鑑賞する際に違和感が生じない。ただし、テレビユニットを板材で覆う際に、画像表示部に板材を密着させることによって、発音部と板材との間隔が少なくなると、発音部から発音された音声が板材を回り込んで前方へと出にくくなる。そこで、発音部と板材との間に上記空間を設けることにより、発音部から発音されたテレビ音声が減衰することなく前方へ出ることができるようにした。
【０００８】
ところで、この板材をハーフミラーで形成すると、テレビ画像が表示されていない状態では板材の後方のテレビユニットが板材で隠され、鏡として機能する。このためデザイン的に優れたものとなる。
【０００９】
なお、テレビユニットに設けた発音部がステレオ方式であると、左右に各々発音部を設けることになるが、この左右から発音されたテレビ音声が板材の後方で干渉すると、音像がはっきりしなくなる。そこで、左右両発音部の間に板材に対して近接して両発音部から発音された音声が板材の後方で干渉することを防止する干渉防止部を形成した。
【００１０】
また、上記板材の周縁と壁面との間に取り付けられ、外部からテレビユニットが見えないように目隠しする目隠し部材を設けると共に、この目隠し部材に、外部に向かって拡幅し発音部から発音された音声を外部に導く音響通路を形成してもよい。
【００１１】
さらに、上記壁面は浴室の壁面であって、テレビユニットは防水構造を備え、板材と壁面との間の空間に侵入した湯水を排水する水抜き部を形成することができる。
【００１２】
その際、上記水抜き部の少なくとも一部は着脱自在であって、水抜き部を取り外すことによって板材と壁面との間を清掃し得るように構成すれば、水あかやカビが生じても容易に清掃することができる。
【発明の効果】
【００１３】
以上の説明から明らかなように、本発明は、テレビユニットの前面を板材で覆い、さらに、テレビユニットの前面に設けた発音部と板材との間に、壁面と板材との間を通して外部に連通する空間を形成したので、テレビユニットとは別途のスピーカ等の発音部を設ける必要がなく、テレビ画面の方向からテレビ音声が流れ、テレビ画面を鑑賞する際に違和感が生じない。
【発明を実施するための最良の形態】
【００１４】
図１を参照して、ＢＲは浴室であり、この浴室ＢＲの内壁Ｗに本発明によるテレビ装置１が取り付けられている。このテレビ装置１は図２および図３に示すように、液晶表示部２１を前面に備えたテレビユニット２が内壁Ｗに取り付けられた構造を有している。
【００１５】
ただし、このテレビユニット２は板材であるハーフミラー板３によって前方から覆われ、このハーフミラー板３によって隠されることによって入浴者などから直接視認されないように構成されている。このテレビユニット２は密閉され内部に水が侵入しない水密構造を備えている。そして、液晶表示部２１の下方には発音部である左右１対の防水スピーカ２２が取り付けられている。
【００１６】
なお、この防水スピーカ２２が取り付けられている部分は液晶表示部２１より後方に凹んだ状態に形成されており、さらに両防水スピーカ２２の間には液晶表示部２１とほぼ同じ高さの干渉防止部２３を設けた。この干渉防止部２３を設けることによって、各防水スピーカ２２から発音されたテレビ音声が中央部分で互いに干渉することを防止し、鑑賞者が認識する音像がぼやけないようにした。そして、本形態ではこの干渉防止部２３に赤外線式のリモコン（図示せず）からの赤外線信号を受光する受光部２４を設けた。
【００１７】
液晶表示部２１は全周をスポンジ状の防水パッキン２１ａで囲まれている。したがって、ハーフミラー板３を液晶表示部２１に押し付けるとこの防水パッキン２１ａによって外部からの湯水が液晶表示部２１に到達しないようにした。このように、液晶表示部２１に湯水が到達しないようにしたので、液晶表示部２１が曇ってテレビ画面が見にくくなるという不具合を未然に防止できる。
【００１８】
ところで、ハーフミラー板３は上下１対の保持部材３１，３２によって保持されている。この保持部材３１，３２はともに内壁Ｗに固定されるものであって、同じく内壁Ｗに固定されるテレビユニット２の液晶表示部２１とハーフミラー板３の距離が、防水パッキン２１ａを適度に圧縮することのできる寸法になるように、形状が決定されている。
【００１９】
テレビユニット２および保持部材３１，３２をハーフミラー板３とともに内壁Ｗに固定すると、防水スピーカ２２は液晶表示部２１より後方に凹んだ部分に取り付けられているので、防水スピーカ２２とハーフミラー板３との間には空間２２ａが形成される。この空間２２ａは左右に各々１個所ずつ形成されるが、両空間２２ａは各々の間に位置する干渉防止部２３によって隔絶される。ただし、両空間２２ａはともに左右外側に開放されているので、防水スピーカ２２から発音されたテレビ音声はこの空間２２ａから各々左右外側へと放出され、ハーフミラー板３の左右から浴室ＢＲ内へと拡がっていく。
【００２０】
ところで、本形態ではハーフミラー板３の左右に着脱自在の目隠し部材３３を取り付けるようにした。ただし、これら両目隠し部材３３には、図４に示すように、取り付けられた状態で内側から外側に向かって漸次拡径するホーン状の音響通路３３ａを形成した。防水スピーカ２２から発音されたテレビ音声はこの音響通路３３ａを通って浴室ＢＲ内へと出るので、この音響通路３３ａによって増幅され、かつ均一に拡がりながら浴室ＢＲ内へと拡散する。
【００２１】
ところで、目隠し部材３３に音響通路３３ａを設けたので、シャワーなどがテレビ装置１に掛かると、湯水がハーフミラー板３の後方に侵入する場合が生じる。テレビユニット２は水密構造であるので問題はないが、ハーフミラー板３の後方にカビなどが発生しないように、下方の保持部材３１の左右両端に水抜き用の溝３１ａを形成した。また、目隠し部材３３は上述のように着脱自在であるので、ハーフミラー板３の後方を清掃したい場合には、一旦両目隠し部材３３を取り外して、ハーフミラー板３の後方にシャワーなどを掛けて清掃することができる。
【００２２】
ところで、上述の形態では上下１つの保持部材３１，３２でハーフミラー板３を保持したため、特に下方の保持部材３１に水が溜まりやすかった。そこで、図５に示すように、ハーフミラー板３を左右から保持する保持部材３４によって保持することにより、ハーフミラー板３の後方に侵入した湯水が溜まることなく直ちにハーフミラー板３の後方から排水されるように構成してもよい。
【００２３】
また、さらに図６に示すように、ハーフミラー板３を４個の小さな保持部材３５で保持させ、ハーフミラー板３の後方に侵入した湯水が直ちに排水されるとともに、ハーフミラー板３の後方の通気をよくして、ハーフミラー板３の後方が常に乾燥しやすくなるようにしてもよい。
【００２４】
ところで、上述の各形態では、浴室ＢＲ内にテレビ装置１を設置したが、台所や居間のようなその他の屋内に設置してもよく、あるいは屋外に設置してもまったく問題はない。
【００２５】
なお、本発明は上記した形態に限定されるものではなく、本発明の要旨を逸脱しない範囲内において種々の変更を加えてもかまわない。
【図面の簡単な説明】
【００２６】
【図１】本発明の一実施の形態の構成を示す図
【図２】テレビ装置の分解図
【図３】取付状態を示す側面図
【図４】音響通路の形状を示す断面図
【図５】第２の形態を示す斜視図
【図６】第３の形態を示す斜視図
【符号の説明】
【００２７】
１  テレビ装置
２  テレビユニット
３  ハーフミラー板
２１  液晶表示部
２１ａ  防水パッキン
２２  防水スピーカ
２３  干渉防止部
２４  受光部
３１  保持部材
ＢＲ  浴室
Ｗ  内壁
【図１】
2005260545.tif 000003
【図２】
2005260545.tif 000004
【図３】
2005260545.tif 000005
【図４】
2005260545.tif 000006
【図５】
2005260545.tif 000007
【図６】
2005260545.tif 000008